(57)【要約】【課題】圧迫板によって乳房を圧迫しながら超音波を送受信して乳腺・乳房の撮像を行う医用撮像装置において、被検体（乳房）の有無を判定して、検査時間を短縮する。【解決手段】この医用撮像装置は、被検体を圧迫する第１の面と該第１の面に対向する第２の面とを有する圧迫板と、圧迫板の第２の面に沿って移動する超音波探触子と、超音波探触子から出力される複数の受信信号に基づいて画像データを生成する画像データ生成手段と、画像データを解析することにより、圧迫板の第１及び第２の面における超音波の反射によって生じる多重反射の強度を検出する画像データ解析手段と、複数の超音波画像について多重反射の強度を比較する解析結果比較手段と、比較結果に基づいて超音波撮像動作を制御する制御手段とを具備する。【選択図】図１
2009082449.tif 000002
【特許請求の範囲】
【請求項１】
被検体を圧迫する第１の面と該第１の面に対向する第２の面とを有する圧迫板と、
前記圧迫板の第２の面に沿って移動しながら、複数の駆動信号に従って被検体に向けて超音波を送信すると共に、被検体から伝播した超音波エコーを受信することにより複数の受信信号を出力する複数の超音波トランスデューサを含む超音波探触子と、
前記超音波探触子から出力される複数の受信信号に基づいて、超音波画像を表す画像データを生成する画像データ生成手段と、
前記画像データ生成手段によって生成される画像データを解析することにより、前記圧迫板の第１の面及び第２の面における超音波の反射によって生じる多重反射の強度を検出する画像データ解析手段と、
複数の超音波画像について、前記画像データ解析手段によって検出される多重反射の強度を比較する解析結果比較手段と、
前記解析結果比較手段における比較結果に基づいて超音波撮像動作を制御する制御手段と、
を具備する医用撮像装置。
【請求項２】
前記画像データ解析手段が、多重反射による画像データの輝度値変化のパターン数、及び／又は、多重反射による画像データの輝度値変化の最大振幅に基づいて、多重反射の強度を検出する、請求項１記載の医用撮像装置。
【請求項３】
被検体を圧迫する第１の面と該第１の面に対向する第２の面とを有する圧迫板と、
前記圧迫板の第２の面に沿って移動しながら、複数の駆動信号に従って被検体に向けて超音波を送信すると共に、被検体から伝播した超音波エコーを受信することにより複数の受信信号を出力する複数の超音波トランスデューサを含む超音波探触子と、
前記超音波探触子から出力される受信信号に基づいて、超音波画像を表す画像データを生成する画像データ生成手段と、
前記超音波探触子から出力される複数の受信信号に基づいて生成される受信データを解析することにより、前記圧迫板の第１の面及び第２の面における超音波の反射によって生じる多重反射の強度を検出する受信データ解析手段と、
複数の受信信号について、前記受信データ解析手段によって検出される多重反射の強度を比較する解析結果比較手段と、
前記解析結果比較手段における比較結果に基づいて超音波撮像動作を制御する制御手段と、
を具備する医用撮像装置。
【請求項４】
前記受信データ解析手段が、多重反射による受信信号の振幅変化の回数、及び／又は、多重反射による受信信号の最大振幅に基づいて、多重反射の強度を検出する、請求項３記載の医用撮像装置。
【請求項５】
前記制御手段が、前記超音波探触子の移動速度、前記超音波探触子の移動方向、前記超音波探触子の位置、超音波撮像におけるフレームレート、及び／又は、画像データの保存を制御する、請求項１〜４のいずれか１項記載の医用撮像装置。
【請求項６】
前記超音波探触子を移動させる探触子移動機構をさらに具備する、請求項１〜５のいずれか１項記載の医用撮像装置。
【請求項７】
放射線を発生する放射線発生部と、
前記放射線発生部によって発生され被検体を通過した放射線を検出する放射線検出部と、
前記放射線発生部と前記放射線検出部との間に配置された撮影台と、
を有し、前記圧迫板が、前記撮影台との間で被検体を圧迫する、請求項１〜６のいずれか１項記載の医用撮像装置。
【発明の詳細な説明】
【技術分野】
【０００１】
本発明は、乳癌等を診断するために、圧迫板によって乳房を圧迫しながら超音波を送受信して乳腺・乳房の撮像を行う医用撮像装置に関する。
【背景技術】
【０００２】
超音波を送受信して被検体の撮像を行う医用撮像装置においては、通常、超音波探触子（プローブ）を用いて、複数の超音波を合波することにより形成される超音波ビームによって被検体を走査し、被検体内部において反射された超音波エコーを受信することにより、超音波エコーの強度に基づいて被検体の組織に関する画像情報が得られる。
【０００３】
超音波撮像によれば、超音波を利用して音響的に生体を計測するので、生体内の臓器の組織性状を非侵襲的に診断することができる。例えば、超音波撮像によって乳腺・乳房の組織性状診断を行うことにより、乳癌の早期発見が可能となる。即ち、撮像された乳腺・乳房の超音波画像において超音波エコーの強度パターンに特徴が生じるので、乳癌の症状の進行度を目視確認することができる。
【０００４】
さらに、乳癌を診断するために、超音波画像と放射線画像との両方に基づいて診断を行うことが検討されている。乳癌を診断するために行われる乳腺・乳房のＸ線撮影（Ｘ線マンモグラフィー）は、癌の初期症状の１つである石灰化を写し出すのに適しており、高解像度で高感度な検出が可能である。特に、閉経後の女性のように、乳腺組織が萎縮を始めて脂肪に置換された脂肪質（所謂、"ｆａｔ  ｂｒｅａｓｔ"）の場合には、Ｘ線マンモグラフィーによって得られる情報が多くなる。しかしながら、Ｘ線撮影は、組織の特異性（組織性状）の検出能力が低いという短所を有している。
【０００５】
また、Ｘ線画像において、乳腺は均一な軟部組織の濃度を呈するので、思春期〜閉経前の女性のように、乳腺が発達している乳腺質（所謂、"ｄｅｎｓｅ  ｂｒｅａｓｔ"）の場合には、腫瘤の検出が困難になる。さらに、Ｘ線マンモグラフィーにおいては、立体である被検体を平面に投影した２次元画像しか得ることができないので、仮に腫瘤が発見されても、その腫瘤の深さ方向の位置や大きさ等の情報を把握するのが困難である。
【０００６】
一方、超音波撮像は、組織の特異性（例えば、嚢腫と固形物との違い）を検出でき、小葉癌を検出することもできる。また、リアルタイムに画像を観察したり、３次元画像を生成することも可能である。しかしながら、超音波撮像検査の精度は、医師等のオペレータの技術に依存することが多く、再現性も低い。また、超音波画像においては、微小な石灰化を観察することが困難である。
【０００７】
このように、Ｘ線マンモグラフィー検査と超音波撮像検査とは互いに一長一短であるので、乳癌を確実に発見するためには、両方の検査を行うことが望ましい。Ｘ線マンモグラフィー検査は、圧迫板によって被検体（乳房）を圧迫した状態で行われるので、同じ状態における被検体のＸ線画像と超音波画像とに基づいて診断を行うためには、超音波撮像検査も、Ｘ線マンモグラフィーの検査が行われたときと同じ状態、即ち、圧迫板によって被検体（乳房）を圧迫した状態で行うことが必要である。さらに、放射線及び超音波を併用して乳腺・乳房の撮像を行う医用撮像装置も検討されている。
【０００８】
乳房を圧迫しながら超音波撮像を行う医用撮像装置は、圧迫板によって被検体（乳房）を圧迫し、圧迫板の圧迫面（第１の面）に対して反対側の面（第２の面）に沿って超音波探触子を移動させて被検体を走査しながら、被検体について複数の超音波画像を取得する。その際に、超音波カップリング材としてエコーゼリー等を使用することにより、超音波探触子と圧迫板との間の音響的な接続（結合）が維持される。
【０００９】
圧迫板の材料としては樹脂を使用することが多く、樹脂製の圧迫板と被検体（乳房）とは、音響インピーダンスに差があるので、超音波探触子から送信された超音波は、圧迫板と被検体との界面（第１の面）で多く反射される。その反射波の一部は、圧迫板の第２の面を通過して超音波探触子に入射し、残りの反射波は、圧迫板の第２の面で反射して圧迫板の第１の面に向かう。これが繰り返されることにより、圧迫板の厚みに対応した多重反射像が形成される。特に、圧迫板が被検体に接していないと、音響インピーダンスの差がさらに大きくなり、多重反射像が強調される。
【００１０】
ところで、超音波撮像検査は、Ｘ線検査と比較して、人体に対する有害性が低いという長所を有しているが、超音波探触子によって被検体を走査するために時間がかかる。そこで、圧迫板によって被検体（乳房）を圧迫した状態で超音波撮像検査を行う医用撮像装置において、検査時間を短縮することが望まれている。
【００１１】
関連する技術として、特許文献１には、超音波プローブ内の音響素子を回動する駆動モータと、音響素子の出力に基づいて、超音波プローブ内のオイルと空気層との屈折率の違いによって発生する多重反射の有無を判断し検出する多重反射検出手段と、多重反射検出手段により多重反射が検出されない場合に駆動モータを始動する駆動モータ始動手段とを有し、多重反射画像の輝度差が所定の閾値以下の場合を検出することにより超音波プローブが被検体に接触したことを検出して、駆動モータを始動して走査を開始する超音波プローブの始動装置及び超音波診断装置が開示されている。
【００１２】
また、特許文献２には、Ｘ線撮影のために乳房を圧迫する圧迫板と、超音波プローブと、超音波プローブの移動制御装置と、超音波画像を生成するコンピュータとを具備し、該圧迫板を介して超音波を伝達して乳房の画像を生成する装置において、超音波プローブが上下方向にも駆動されることが開示されている。
【００１３】
しかしながら、特許文献１には、超音波プローブ内のオイルと空気層との屈折率の違いにより発生する多重反射の有無を判断して、超音波プローブ内の音響素子を回動する駆動モータを始動することしか開示されていない。また、特許文献２には、多重反射の有無を判断して撮像動作を制御することに関しては開示されていない。
【特許文献１】特開２００４−２６１２７７号公報
【特許文献２】米国特許第６５７４４９９号明細書
【発明の開示】
【発明が解決しようとする課題】
【００１４】
そこで、上記の点に鑑み、本発明は、圧迫板によって乳房を圧迫しながら超音波を送受信して乳腺・乳房の撮像を行う医用撮像装置において、被検体（乳房）の有無を判定して、検査時間を短縮することを目的とする。
【課題を解決するための手段】
【００１５】
上記課題を解決するため、本発明の１つの観点に係る医用撮像装置は、被検体を圧迫する第１の面と該第１の面に対向する第２の面とを有する圧迫板と、圧迫板の第２の面に沿って移動しながら、複数の駆動信号に従って被検体に向けて超音波を送信すると共に、被検体から伝播した超音波エコーを受信することにより複数の受信信号を出力する複数の超音波トランスデューサを含む超音波探触子と、超音波探触子から出力される複数の受信信号に基づいて、超音波画像を表す画像データを生成する画像データ生成手段と、画像データ生成手段によって生成される画像データを解析することにより、圧迫板の第１の面及び第２の面における超音波の反射によって生じる多重反射の強度を検出する画像データ解析手段と、複数の超音波画像について、画像データ解析手段によって検出される多重反射の強度を比較する解析結果比較手段と、解析結果比較手段における比較結果に基づいて超音波撮像動作を制御する制御手段とを具備する。
【発明の効果】
【００１６】
本発明によれば、画像データを解析して多重反射の強度を検出し、複数の超音波画像について多重反射の強度を比較することにより、被検体の有無を判定して超音波撮像動作を制御することができるので、検査時間を短縮することが可能となる。
【発明を実施するための最良の形態】
【００１７】
以下、本発明の実施形態について、図面を参照しながら詳しく説明する。なお、同一の構成要素には同一の参照番号を付して、説明を省略する。
図１は、本発明の第１の実施形態に係る医用撮像装置の構成を示すブロック図である。本発明は、圧迫板によって乳房を圧迫しながら超音波を送受信して乳腺・乳房の撮像を行う医用撮像装置全般に適用可能であるが、以下においては、乳房に放射線を照射し、乳房を透過する放射線を検出することによって放射線画像を生成する放射線マンモグラフィー装置の機能と、乳房に超音波を送信し、乳房の内部において反射した超音波エコーを受信することによって超音波画像を生成する超音波診断装置の機能とを併せ持った医用撮像装置について説明する。また、放射線としては、Ｘ線以外にも、α線、β線、γ線、電子線、紫外線等が使用可能である。
【００１８】
図１に示すように、医用撮像装置は、Ｘ線管１０と、フィルタ１１と、Ｘ線管１０によって発生され被検体１を透過したＸ線を検出するＸ線検出部１２と、被検体１である乳房を押さえるための圧迫板１３と、圧迫板１３を移動させる圧迫板移動機構１４と、圧迫板１３に印加される圧力を検出する圧力センサ１５と、超音波の送受信を行う複数の超音波トランスデユーサを含む超音波探触子１６と、超音波探触子１６を移動させる探触子移動機構１７と、超音波探触子１６の位置を検出する位置センサ１８とを、撮像部において有している。
【００１９】
さらに、医用撮像装置は、圧迫板移動機構１４及び探触子移動機構１７等を制御する移動制御部２０と、Ｘ線撮像制御部３０と、超音波撮像制御部４０と、画像処理部６０と、表示部７１及び７２と、操作卓８０と、制御部９０と、格納部１００とを有している。また、医用撮像装置は、ＬＡＮ（ローカル・エリア・ネットワーク）等のネットワークを介して、画像サーバ１１０に接続されている。
【００２０】
図２は、図１に示す医用撮像装置の撮像部の外観を示す側面図である。図２に示すように、医用撮像装置の撮像部は、アーム部２と、アーム部２を上下方向（Ｚ軸方向）に移動可能に保持する基台３と、アーム部２を基台３に連結する軸部４とを有している。アーム部２には、Ｘ線管１０と、フィルタ１１と、放射線検出部１２と、Ｘ線管１０と放射線検出部１２との間に配置された撮影台１９と、撮影台１９との間で被検体１を圧迫する圧迫板１３と、圧迫板１３を上下方向（Ｚ軸方向）に移動させる圧迫板移動機構１４と、超音波探触子１６と、超音波探触子１６を、Ｘ軸、Ｙ軸、及び、Ｚ軸方向に移動させる探触子移動機構１７とが設けられている。
【００２１】
Ｘ線管１０及びフィルタ１１は、放射線発生部を構成する。Ｘ線管１０は、管電圧が印加されることによってＸ線を発生する。フィルタ１１は、モリブデン（Ｍｏ）又はロジウム（Ｒｈ）等の材料によって作成され、Ｘ線管１０が発生するＸ線に含まれている複数の波長成分の内から所望の波長成分を選択的に透過する。Ｘ線検出部１２は、被検体１を通過したＸ線を２次元領域における複数の検出ポイントにおいて検出することによりＸ線画像を撮影するフラットパネル・ディテクタ（ＦＰＤ）である。Ｘ線管１０から放射され被検体１を透過したＸ線が各検出ポイントに照射されることにより、Ｘ線の強度に応じた大きさを有する検出信号がＸ線検出部１２から出力される。この検出信号は、ケーブルを介して、Ｘ線撮像制御部３０（図１）に入力される。
【００２２】
圧迫板１３は、撮影台１９に対して平行に設置されており、圧迫板移動機構１４が、圧迫板１３をＺ軸方向に移動させる。圧力センサ１５は、圧迫板１３に印加される圧力を検出し、その検出結果に基づいて、移動制御部２０（図１）が圧迫板移動機構１４を制御する。この圧迫板１３と撮影台１９とによって被検体（乳房）１を挟み込むことにより、乳房の厚さを均一にした状態でＸ線撮影が行われる。
【００２３】
ここで、圧迫板１３は、乳房を圧迫する際の位置合わせや圧迫状態の確認を行うために光学的に透明であることが必要であり、Ｘ線管１０から放射されるＸ線を透過させると共に、超音波探触子１６から送信される超音波を伝播し易い材料によって形成されていることが望ましい。圧迫板１３の材料としては、例えば、超音波の反射率に影響する音響インピーダンスと超音波の減衰に影響する減衰係数とにおいて適した値を有するポリメチルペンテン等の樹脂を用いることができる。
【００２４】
超音波探触子１６は、１次元状、又は、２次元状に配列された複数の超音波トランスデューサを備えている。各々の超音波トランスデューサは、印加される駆動信号に基づいて超音波を送信すると共に、超音波エコーを受信することにより受信信号を出力する。
【００２５】
各々の超音波トランスデューサは、例えば、ＰＺＴ（チタン酸ジルコン酸鉛：Pb(lead) zirconate titanate）に代表される圧電セラミックや、ＰＶＤＦ（ポリフッ化ビニリデン：polyvinylidene difluoride）に代表される高分子圧電素子等の圧電性を有する材料（圧電体）の両端に電極を形成した振動子によって構成される。そのような振動子の電極に、パルス状又は連続波の電気信号を送って電圧を印加すると、圧電体が伸縮する。この伸縮によって、それぞれの振動子からパルス状又は連続波の超音波が発生し、それらの超音波の合成によって超音波ビームが形成される。また、それぞれの振動子は、伝搬する超音波を受信することによって伸縮し、電気信号を発生する。それらの電気信号は、超音波の受信信号として出力され、ケーブルを介して、超音波撮像制御部４０（図１）に入力される。
【００２６】
超音波探触子１６は、圧迫板１３に密着させて移動させても良いし、圧迫板１３との間にエコーゼリー等の超音波伝達媒体を挿入することにより、圧迫板１３から離して移動させても良い。また、オペレータが超音波探触子１６を移動させても良いし、探触子移動機構１７が超音波探触子１６を移動させても良い。以下においては、後者の場合について説明する。
【００２７】
再び図１を参照すると、Ｘ線撮像制御部３０は、管電圧・管電流制御部３１と、高電圧発生部３２と、Ａ／Ｄ変換器３３と、放射線画像データ生成部３４とを含んでいる。Ｘ線管１０においては、陰極と陽極との間にかける管電圧によってＸ線の透過性が決定され、陰極と陽極との間に流れる管電流の時間積分値によってＸ線の発生量が決定される。管電圧・管電流制御部３１は、目標値に従って、管電圧や管電流等の撮影条件を調整する。管電圧及び管電流の目標値は、オペレータが、操作卓８０を用いてマニュアルで調整することができる。高電圧発生部３２は、管電圧・管電流制御部３１の制御の下で、Ｘ線管１０に印加される高電圧を発生する。Ａ／Ｄ変換器３３は、Ｘ線検出部１２から出力されるアナログの放射線検出信号をディジタル信号（放射線検出データ）に変換し、放射線画像データ生成部３４は、放射線検出データに基づいて放射線画像データを生成する。
【００２８】
本発明の第１の実施形態においては、超音波撮像制御部４０が、走査制御部４１と、送信回路４２と、受信回路４３と、Ａ／Ｄ変換器４４と、信号処理部４５と、Ｂモード画像データ生成部４６と、画像データ解析部４７と、解析結果比較部４８と、解析データ格納部４９とを含んでいる。
【００２９】
走査制御部４１は、移動制御部２０の制御の下で、送信回路４２から超音波探触子１６の各超音波トランスデューサに印加される駆動信号の周波数及び電圧を設定して、送信される超音波の周波数及び音圧を調節する。また、走査制御部４１は、超音波ビームの送信方向を順次設定し、設定された送信方向に応じて送信遅延パターンを選択する送信制御機能と、超音波エコーの受信方向を順次設定し、設定された受信方向に応じて受信遅延パターンを選択する受信制御機能とを有している。
【００３０】
ここで、送信遅延パターンとは、超音波探触子１６に含まれている複数の超音波トランスデューサから送信される超音波によって所望の方向に超音波ビームを形成するために複数の駆動信号に与えられる遅延時間のパターンであり、受信遅延パターンとは、複数の超音波トランスデューサによって受信される超音波によって所望の方向からの超音波エコーを抽出するために複数の受信信号に与えられる遅延時間のパターンである。複数の送信遅延パターン及び複数の受信遅延パターンは、メモリ等に格納されている。
【００３１】
送信回路４２は、複数の超音波トランスデューサにそれぞれ印加される複数の駆動信号を生成する。その際に、送信回路４２は、走査制御部４１によって選択された送信遅延パターンに基づいて、複数の超音波トランスデューサから送信される超音波が超音波ビームを形成するように複数の駆動信号の遅延量を調節して超音波探触子１６に供給しても良いし、複数の超音波トランスデューサから一度に送信される超音波が被検体の撮像領域全体に届くように複数の駆動信号を超音波探触子１６に供給しても良い。
【００３２】
受信回路４３は、複数の超音波トランスデューサからそれぞれ出力される複数の超音波受信信号を増幅し、Ａ／Ｄ変換器４４は、受信回路４３によって増幅されたアナログの超音波受信信号をディジタルの超音波受信信号（超音波受信データ）に変換する。信号処理部４５は、走査制御部４１によって選択された受信遅延パターンに基づいて、複数の超音波受信信号にそれぞれの遅延時間を与え、それらの超音波受信信号を加算することにより、受信フォーカス処理を行う。この受信フォーカス処理によって、超音波エコーの焦点が絞り込まれた音線データが形成される。
【００３３】
さらに、信号処理部４５は、音線データに対して、ＳＴＣ（Sensitivity Time gain Control：センシティビティ・タイム・ゲイン・コントロール）によって、超音波の反射位置の深度に応じて距離による減衰の補正をした後、ローパスフィルタ等によって包絡線検波処理を施すことにより、包絡線データを生成する。
【００３４】
Ｂモード画像データ生成部４６は、包絡線データに対して、対数圧縮やゲイン調整等の処理を施して画像データを生成し、この画像データを、通常のテレビジョン信号の走査方式に従う画像データに変換（ラスター変換）することにより、Ｂモード画像データを生成する。
【００３５】
超音波探触子１６の位置は、超音波探触子１６に内蔵されている位置センサ１８によって検出される。移動制御部２０は、位置センサ１８の出力信号に基づいて超音波探触子１６の位置を把握し、探触子移動機構１７を制御する。探触子移動機構１７が超音波探触子１６を移動させながら、超音波探触子１６が超音波を送受信することにより、超音波撮像が行われる。
【００３６】
圧迫板１３において、被検体１を圧迫する圧迫面（図２における下面）を第１の面とし、圧迫面に対して反対側の面（図２における上面）を第２の面とする。超音波探触子１６から送信された超音波は、圧迫板１３と被検体１（又は空気層等）との界面（第１の面）で多く反射される。その反射波の一部は、圧迫板１３の第２の面を通過して超音波探触子１６に入射し、残りの反射波は、圧迫板１３の第２の面で反射して圧迫板１３の第１の面に向かう。これが繰り返されることにより、圧迫板１３の厚みに対応した多重反射像が形成される。
【００３７】
このような状況において、圧迫板１３の第１の面が、圧迫板１３の音響インピーダンスと異なる音響インピーダンスを有する被検体１に接している場合には、多重反射像が重畳された被検体１の画像が検出される。また、圧迫板１３の第１の面が、圧迫板１３の音響インピーダンスと大きく異なる音響インピーダンスを有する空気層に接している場合には、超音波は、圧迫板１３の第１の面においてほぼ１００％反射され、多重反射像が検出される。空気層以外にも、例えば、圧迫板１３の第１の面が、圧迫板１３の音響インピーダンスの０．１倍以下の音響インピーダンスを有する物質に接している場合にも、同様の現象が生じる。
【００３８】
画像データ解析部４７は、必要に応じて、Ｂモード画像データ生成部４６によって生成された画像データを解析データ格納部４９に格納し、Ｂモード画像データ生成部４６によって生成される画像データ、及び／又は、解析データ格納部４９に格納されている画像データを解析することにより、多重反射の強度を検出する。多重反射の強度の検出は、多重反射による画像データの輝度値変化のパターン数、及び／又は、多重反射による画像データの輝度値変化の最大振幅に基づいて行われる。
【００３９】
解析データ格納部４９は、メモリ又はハードディスク等によって構成される。例えば、圧迫板１３の第１の面が被検体１に接していない状態において、比較用の基準となる画像データが生成され、解析データ格納部４９に予め格納される。あるいは、解析データ格納部４９が、画像データ解析部４７によって検出された多重反射の強度を表すデータを格納するようにしても良い。
【００４０】
解析結果比較部４８は、複数の画像について、画像データ解析部４７によって検出される多重反射の強度を比較することにより、超音波探触子１６の位置に対応する圧迫板１３の第１の面における領域が被検体（乳房）１に接しているか否かを判定する。ここで、多重反射の強度の比較は、Ｂモード画像データ生成部４６によって生成される画像データと、解析データ格納部４９に予め格納されている比較用の基準となる画像データとの間で行われても良いし、Ｂモード画像データ生成部４６によって生成される画像データと、その直前に生成された画像データとの間で行われても良い。
【００４１】
画像処理部６０は、Ｘ線撮像制御部３０から出力される放射線画像データ、及び、超音波撮像制御部４０から出力される超音波画像データに対し、階調処理等の必要な画像処理を施して表示用の画像データを生成する。それにより、放射線画像及び超音波画像が、表示部７１及び７２にそれぞれ表示される。
【００４２】
操作卓８０は、オペレータが医用撮像装置を操作するために用いられる。制御部９０は、オペレータの操作に基づいて各部を制御する。また、制御部９０は、解析結果比較部４８における比較結果に基づいて、移動制御部２０、超音波撮像制御部４０、及び／又は、画像処理部６０による超音波撮像動作を制御する。具体的には、超音波探触子１６の移動速度、超音波探触子１６の移動方向、超音波探触子１６の位置（Ｘ線撮像時においては超音波探触子１６を退避させる）、超音波撮像におけるフレームレート、及び／又は、画像サーバ１１０への画像データの保存が制御され、検査時間の短縮及び画質の最適化が行われる。
【００４３】
以上において、移動制御部２０、放射線画像データ生成部３４、走査制御部４１、信号処理部４５〜解析結果比較部４８、画像処理部６０、及び、制御部９０は、中央演算装置（ＣＰＵ）と、ＣＰＵに各種の処理を行わせるためのソフトウェア（プログラム）とによって構成されるが、これらをディジタル回路又はアナログ回路で構成しても良い。このソフトウェア（プログラム）は、ハードディスク又はメモリ等によって構成された格納部１００に格納されている。また、格納部１００に、走査制御部４１によって選択される送信遅延パターン及び受信遅延パターンを格納するようにしても良い。
【００４４】
次に、超音波探触子による被検体（乳房）の走査について詳しく説明する。
図３は、被検体を走査している超音波探触子の軌跡を示す平面図である。また、図４は、被検体を走査している超音波探触子の動きを示す図であり、図４（ａ）は乳房の側面から見た図、図４（ｂ）は乳房の正面から見た図である。
【００４５】
図３及び図４に示されるように、Ｘ線撮像と同一の条件で超音波撮像を行うために、被検体（乳房）１を撮像台２０上に置いた状態で、圧迫板１３の第１の面（下面）で被検体１を圧迫し、圧迫板１３の第２の面（上面）に沿って超音波探触子１６を移動させて、Ｘ軸方向の複数のスライス位置における複数枚の超音波スライス画像が取得される。このとき、エコーゼリー２１を使用することにより、超音波探触子１６と圧迫板１３の第２の面との間で音響的な接続（結合）が維持される。
【００４６】
超音波探触子１６は、まず、Ｘ軸方向の正の向きに移動しながら超音波を送受信することにより第１の走査を行い、次に、Ｙ軸方向の正の向きに所定距離だけ移動した後に、Ｘ軸方向の負の向きに移動しながら超音波を送受信することにより第２の走査を行う。このような動作を必要な回数繰り返すことにより、片方の乳房全体に亘って、複数の部分画像が取得される。図３においては、Ｘ軸方向に３回の走査が行われるので、Ｘ軸方向の各スライス位置における３つの部分画像によって、１つの超音波スライス画像が構成される。
【００４７】
本実施形態においては、超音波探触子の移動過程において、圧迫板１３の第１の面及び第２の面における超音波の反射によって生じる多重反射の強度に基づいて、圧迫板１３の下に被検体１が存在する領域と存在しない領域とを判定することにより、超音波探触子１６の移動速度、超音波探触子１６の移動方向、超音波探触子１６の位置、超音波撮像におけるフレームレート、及び／又は、画像データの保存が制御される。
【００４８】
図３において、超音波探触子１６の被検体領域内における軌跡を矢印→で示し、超音波探触子１６の被検体領域外における軌跡を矢印⇒で示す。位置Ａにおいて、超音波探触子１６の移動が開始される。図１に示す解析結果比較部４８は、位置Ａにおいて超音波探触子１６が被検体領域外にあると判定し、これに基づいて、制御部９０が、撮像時間を短縮するために、超音波探触子１６が高速で移動するように移動制御部２０を制御すると共に、電力を節約するために、フレームレートを低下させるように超音波撮像制御部４０を制御する。
【００４９】
解析結果比較部４８は、位置Ｂにおいて超音波探触子１６が被検体領域内に入ったと判定し、これに基づいて、制御部９０が、被検体１の良好な超音波画像を取得するために、超音波探触子１６の移動速度を低下させるように移動制御部２０を制御すると共に、フレームレートを適切な値まで上昇させるように超音波撮像制御部４０を制御して、超音波撮像動作を最適化する。その後、解析結果比較部４８は、位置Ｃにおいて超音波探触子１６が被検体領域外に出たと判定し、これに基づいて、制御部９０が、超音波探触子１６の移動速度を上昇させ、フレームレートを低下させる。
【００５０】
解析結果比較部４８は、位置Ｄにおいて超音波探触子１６が再び被検体領域内に入ったと判定し、位置Ｅにおいて超音波探触子１６が被検体領域外に出たと判定し、位置Ｆにおいて超音波探触子１６が被検体領域内に入ったと判定し、位置Ｇにおいて超音波探触子１６が被検体領域外に出たと判定し、同様の制御を繰り返す。その後、位置Ｈにおいて、超音波探触子１６の移動が終了する。
【００５１】
位置Ｇから位置Ｈまでの間において、被検体１が全く検出されないので、制御部９０は、今回の超音波撮像が終了したと判定し、今回の超音波撮像によって得られた画像データを画像サーバ１１０に保存するように画像処理部６０を制御する。さらに、制御部９０は、Ｘ線撮像に備えて、超音波探触子１６をＸ線検出部１２の検出領域から退避させるように移動制御部２０を制御する。
【００５２】
図５は、被検体領域外における超音波撮像を説明するための図であり、図５（ａ）は超音波探触子の状態を示し、図５（ｂ）は超音波画像を示し、図５（ｃ）はＺ方向における輝度値の変化を示す。
【００５３】
図５（ａ）は、超音波探触子１６の位置に対応する圧迫板１３の第１の面における領域が被検体に接していないことを示している。圧迫板１３の第１の面は、音響インピーダンスの小さい空気に接することになるので、圧迫板１３と空気層との界面における超音波の反射が大きくなり、圧迫板１３による超音波の多重反射が顕著になる。これにより、図５（ｂ）に示されるように、圧迫板の厚みに対応する一定周期の明暗の縞模様（多重反射による画像データの輝度値変化のパターン：以下においては、「多重反射パターン」ともいう）を有する超音波画像が取得される。
【００５４】
図１に示す画像データ解析部４７は、図５（ｂ）に示されるような超音波画像において、１つのＹ座標における深さ方向（Ｚ軸方向）の一連の画素に対応する画像データの集合である多重反射信号を求める。ここで、画像データ解析部４７は、ノイズ成分を低減するために、Ｚ軸方向の一連の画素に対応する画像データに対してバンドパス処理を施すことにより圧迫板の厚みに対応する周波数成分を抽出しても良いし、複数のＹ座標における多重反射信号を平均化しても良い。多重反射信号は、図５（ｃ）に示されるように、多重反射パターンに対応する輝度値変化を表している。
【００５５】
図６は、被検体領域内における超音波撮像を説明するための図であり、図６（ａ）は超音波探触子の状態を示し、図６（ｂ）は超音波画像を示し、図６（ｃ）はＺ方向における輝度値の変化を示す。
【００５６】
図６（ａ）は、超音波探触子１６の位置に対応する圧迫板１３の第１の面における領域が被検体１に接していることを示している。その場合には、圧迫板１３と被検体１との界面における超音波の反射が小さくなり、圧迫板１３による超音波の多重反射が緩和される。これにより、図６（ｂ）に示されるように、多重反射パターンをある程度含む超音波画像が取得される。
【００５７】
図１に示す画像データ解析部４７は、図６（ｂ）に示されるような超音波画像において、１つのＹ座標における深さ方向（Ｚ軸方向）の一連の画素に対応する画像データの集合である多重反射信号を求める。ここで、画像データ解析部４７は、ノイズ成分を低減するために、Ｚ軸方向の一連の画素に対応する画像データに対してバンドパス処理を施すことにより圧迫板の厚みに対応する周波数成分を抽出しても良いし、複数のＹ座標における多重反射信号を平均化しても良い。多重反射信号は、図６（ｃ）に示されるように、多重反射パターン及び被検体１の組織に対応する輝度値変化を表している。
【００５８】
さらに、画像データ解析部４７は、多重反射信号の輝度値を閾値と比較し、第１の閾値よりも大きい輝度値を有する山の数、及び／又は、第２の閾値よりも小さい輝度値を有する谷の数をカウントして多重反射パターン数を求めることにより、多重反射の強度を検出する。ここで、多重反射信号を２値化して、山の数及び／又は谷の数をカウントするようにしても良い。あるいは、画像データ解析部４７は、多重反射信号の最大値と最小値とに基づいて多重反射信号の最大振幅を求めることにより、多重反射の強度を検出する。
【００５９】
超音波探触子が被検体領域外に位置する場合と被検体領域内に位置する場合とにおいては、多重反射の強度が異なる。従って、解析結果比較部４８は、複数の超音波画像における多重反射の強度を比較することにより、超音波探触子１６が被検体領域内に位置しているか被検体領域外に位置しているかを判定することができる。
【００６０】
例えば、解析結果比較部４８は、第１の超音波画像における多重反射パターン数Ｍ１と第２の超音波画像における多重反射パターン数Ｍ２との差（Ｍ１−Ｍ２）、及び／又は、第１の超音波画像における多重反射信号の最大振幅Ａ１と第２の超音波画像における多重反射信号の最大振幅Ａ２との差（Ａ１−Ａ２）を求める。解析結果比較部４８は、第１の超音波画像が被検体領域外で取得されたものである場合に、差（Ｍ１−Ｍ２）及び／又は差（Ａ１−Ａ２）が正の閾値よりも大きければ、第２の超音波画像が被検体領域内で取得されたものであると判定し、差（Ｍ１−Ｍ２）及び／又は差（Ａ１−Ａ２）が正の閾値以下であれば、第２の超音波画像が被検体領域外で取得されたものであると判定する。また、解析結果比較部４８は、第１の超音波画像が被検体領域内で取得されたものである場合に、差（Ｍ１−Ｍ２）及び／又は差（Ａ１−Ａ２）が負の閾値よりも小さければ、第１の超音波画像が被検体領域外で取得されたものであると判定し、差（Ｍ１−Ｍ２）及び／又は差（Ａ１−Ａ２）が負の閾値以上であれば、第１の超音波画像が被検体領域内で取得されたものであると判定する。
【００６１】
次に、本発明の第２の実施形態について説明する。
図７は、本発明の第２の実施形態に係る医用撮像装置の構成を示すブロック図である。第２の実施形態においては、図１に示す第１の実施形態における画像データ解析部４７、解析結果比較部４８、及び、解析データ格納部４９の替わりに、受信データ解析部５７、解析結果比較部５８、及び、解析データ格納部５９が設けられており、それ以外の点に関しては第１の実施形態と同様である。
【００６２】
図８は、本発明の第２の実施形態に係る医用撮像装置における一部の構成要素を示す図である。図８に示すように、医用撮像装置は、被検体（乳房）１を圧迫する圧迫板１３と、複数の駆動信号に従って被検体に向けて超音波を送信すると共に、被検体から伝播した超音波エコーを受信することにより複数の受信信号を出力する複数の超音波トランスデューサＴ１〜ＴＮを含む超音波探触子１６と、超音波トランスデューサＴ１〜ＴＮに対応する複数のチャンネルを有する受信回路４３及びＡ／Ｄコンバータ４４と、受信データ解析部５７と、解析結果比較部５８と、解析データ格納部５９とを有している。
【００６３】
受信回路４３において、複数チャンネルの増幅部（ＡＭＰ）が、超音波トランスデューサＴ１〜ＴＮから出力される複数の受信信号をそれぞれ増幅し、Ａ／Ｄ変換器４４において、複数チャンネルのＡ／Ｄ変換部（ＡＤＣ）が、受信回路４３によって増幅された複数のアナログの受信信号を複数のディジタルの受信信号（受信データ）にそれぞれ変換する。
【００６４】
受信データ解析部５７は、必要に応じて、Ａ／Ｄ変換器４４から出力される受信データを解析データ格納部５９に格納し、Ａ／Ｄ変換器４４から出力される受信データ、及び／又は、解析データ格納部５９に格納されている受信データを解析することにより、多重反射の強度を検出する。
【００６５】
解析データ格納部５９は、メモリ又はハードディスク等によって構成される。例えば、圧迫板１３の第１の面が被検体１に接していない状態において、比較用の基準となる受信データが生成され、解析データ格納部５９に予め格納される。あるいは、解析データ格納部５９が、受信データ解析部５７によって検出された多重反射の強度を表すデータを格納するようにしても良い。
【００６６】
図８においては、超音波トランスデューサＴ１〜Ｔ３が被検体領域外に位置しており、超音波トランスデューサＴ４〜ＴＮが被検体領域内に位置している。被検体領域外に位置している超音波トランスデューサＴ１〜Ｔ３から出力される受信信号は、図９（ａ）に示すように、多重反射の影響が大きいので振幅の変化が大きい。これに対し、被検体領域内に位置している超音波トランスデューサＴ４〜ＴＮから出力される受信信号は、図９（ｂ）に示すように、多重反射の影響が小さいので振幅の変化が小さい。
【００６７】
多重反射の強度の検出は、例えば、次のようにして行われる。受信データ解析部５７は、受信信号に基づいて生成された受信データの値を閾値と比較して、受信信号の振幅変化により受信データの値が単位時間において閾値よりも大きくなった回数をカウントすることにより、多重反射の強度を検出する。あるいは、受信データ解析部５７は、単位時間における受信データの最大値と最小値とに基づいて受信信号の最大振幅を求めることにより、多重反射の強度を検出する。
【００６８】
解析結果比較部５８は、複数の受信信号について、受信データ解析部５７によって検出される多重反射の強度を比較することにより、超音波探触子１６の位置に対応する圧迫板１３の第１の面における領域が被検体（乳房）１に接しているか否かを判定する。ここで、多重反射の強度の比較は、Ａ／Ｄ変換器４４から出力される受信データと、解析データ格納部５９に予め格納されている比較用の基準となる受信データとの間で行われても良いし、Ａ／Ｄ変換器４４から出力される受信データと、その直前に生成された受信データとの間で行われても良い。
【００６９】
例えば、解析結果比較部５８は、超音波トランスデューサＴ１〜ＴＮの各々について、第１の受信信号におけるカウント値Ｎ１と第２の受信信号におけるカウント値Ｎ２との差（Ｎ１−Ｎ２）、及び／又は、第１の受信信号の最大振幅Ｂ１と第２の受信信号の最大振幅Ｂ２との差（Ｂ１−Ｂ２）を求める。解析結果比較部５８は、第１の受信信号が被検体領域外で取得されたものである場合に、差（Ｎ１−Ｎ２）及び／又は差（Ｂ１−Ｂ２）が正の閾値よりも大きければ、第２の受信信号が被検体領域内で取得されたものであると判定し、差（Ｎ１−Ｎ２）及び／又は差（Ｂ１−Ｂ２）が正の閾値以下であれば、第２の受信信号が被検体領域外で取得されたものであると判定する。また、解析結果比較部５８は、第１の受信信号が被検体領域内で取得されたものである場合に、差（Ｎ１−Ｎ２）及び／又は差（Ｂ１−Ｂ２）が負の閾値よりも小さければ、第１の受信信号が被検体領域外で取得されたものであると判定し、差（Ｎ１−Ｎ２）及び／又は差（Ｂ１−Ｂ２）が負の閾値以上であれば、第１の受信信号が被検体領域内で取得されたものであると判定する。
【００７０】
制御部９０は、解析結果比較部５８における比較結果に基づいて、移動制御部２０、超音波撮像制御部４０、及び／又は、画像処理部６０による超音波撮像動作を制御する。具体的には、超音波探触子１６の移動速度、超音波探触子１６の移動方向、超音波探触子１６の位置（Ｘ線撮像時においては超音波探触子１６を退避させる）、超音波撮像におけるフレームレート、及び／又は、画像サーバ１１０への画像データの保存が制御され、検査時間の短縮及び画質の最適化が行われる。
【産業上の利用可能性】
【００７１】
本発明は、乳癌等を診断するために、圧迫板によって乳房を圧迫しながら超音波を送受信して乳腺・乳房の撮像を行う医用撮像装置において利用することが可能である。
【図面の簡単な説明】
【００７２】
【図１】本発明の第１の実施形態に係る医用撮像装置の構成を示すブロック図である。
【図２】図１に示す医用撮像装置の撮像部の外観を示す側面図である。
【図３】被検体を走査している超音波探触子の軌跡を示す平面図である。
【図４】被検体を走査している超音波探触子の動きを示す図である。
【図５】被検体領域外における超音波撮像を説明するための図である。
【図６】被検体領域内における超音波撮像を説明するための図である。
【図７】本発明の第２の実施形態に係る医用撮像装置の構成を示すブロック図である。
【図８】本発明の第２の実施形態に係る医用撮像装置における一部の構成要素を示す図である。
【図９】超音波トランスデューサから出力される受信信号を示す図である。
【符号の説明】
【００７３】
１  被検体
２  アーム部
３  基台
４  軸部
１０  Ｘ線管
１１  フィルタ
１２  放射線検出部
１３  圧迫板
１４  圧迫板移動機構
１５  圧力センサ
１６  超音波探触子
１７  探触子移動機構
１８  位置センサ
１９  撮影台
２０  移動制御部
２１  エコーゼリー
３０  Ｘ線撮像制御部
３１  管電圧・管電流制御部
３２  高電圧発生部
３３  Ａ／Ｄ変換器
３４  放射線画像データ生成部
４０  超音波撮像制御部
４１  走査制御部
４２  送信回路
４３  受信回路
４４  Ａ／Ｄ変換器
４５  信号処理部
４６  Ｂモード画像データ生成部
４７  画像データ解析部
４８  解析結果比較部
４９  解析データ格納部
５７  受信データ解析部
５８  解析結果比較部
５９  解析データ格納部
６０  画像処理部
７１及び７２  表示部
８０  操作卓
９０  制御部
１００  格納部
１１０  画像サーバ
Ｔ１〜ＴＮ  超音波トランスデューサ
【図１】
2009082449.tif 000003
【図２】
2009082449.tif 000004
【図３】
2009082449.tif 000005
【図４】
2009082449.tif 000006
【図７】
2009082449.tif 000007
【図８】
2009082449.tif 000008
【図９】
2009082449.tif 000009
【図５】
2009082449.tif 000010
【図６】
2009082449.tif 000011